(57)【要約】【課題】従来の足浴装置は運ぶと収納に不便利とイオンカートリッジの使用寿命が短く、水温が下がるという問題があった。【解決手段】フットバスとコントロール本体を一体化させ、イオンカートリッジ5を分離可能な構造にして、さらにヒーター53を取り付けて、これにより、便利に運ぶと収納、電極の清掃、水温の維持ができます。【選択図】  図5
0003127624.tif 000002
【実用新案登録請求の範囲】
【請求項１】
フットバスの中に、コントロールパネルかコントロール本体に一体として設けられ、イオンカードリッジを有することを特徴とする足浴装置。
【請求項２】
前記イオンカードリッジの蓋は自由に取り外しできる請求項1記載の足浴装置。
【請求項３】
前記イオンカードリッジにヒーターを備えた請求項1又は2記載の足浴装置。
【考案の詳細な説明】
【技術分野】
【０００１】
本考案は、足浴装置の簡略化、使用空間縮小、便利に持ち運ぶとともに、イオンカートリッジに対して使用寿命の延長及び使用効果の高い構造に替わった、さらにヒーターで水温を維持して、使用者にいっそう心地よい処置を目指すに関するものである。
【背景技術】
【０００２】
現代社会の環境の中に、社会の変遷及び科学技術の進歩、人々はこれら競争環境の中で、仕事のストレス・疲労・緊張などの原因で、人々はますます圧迫と抑制を感じされ、生活習慣の不規律までをもたらした。医学科学に、人体内プラス・マイナスイオンがある比率に含まれる。マイナスイオンが体に絶頂の利点を与える、人体器官の活化、免疫力の増加、新陳代謝の促進などの効果がある。しかし、人はストレス・疲労・緊張の環境の中でプラスイオンが大量に増加され、それに自然環境の破壊、空気・水の汚染、マイナスイオンを製造する自然環境はどんどん減少され、人々はいつの間にか有害物質を吸入する恐れを招く、その有害物質は血液とリンパシステムを通して全身各器官まで流れされる。元もと、マイナスイオンの補充の力で体内新陳代謝と免疫力をよくし、そして、体内の有害物質を合成物質に転換させ、体外に排出。でも、長期間マイナスイオン不足の影響で人体内の新陳代謝が悪くなる。その長期間積み重ねたストレスと血液中の毒素、体がどんどん悪くなり、慢性疾病を至る可能性もある。近年、生活水準と所得の上昇、人々はレジャー、養生の重要性を発覚し初め、適切な舒圧、体をやりくる運動や品物を求め始めた。皆自然と接触したり、温泉に入ったり、健康食品を飲んだり、美容室にSPAしたり。しかし、仕事が忙しく、短い時間で舒圧、養生の効果を手に入れたくなり、方法は簡単・快適またはストレスを緩和される泡足を選んだ。泡足の医学名は足浴です、疲労解消、睡眠を促進する物理保健方法であります。人々は両足を熱湯に浸すことで、血気運行を促進し、臓腑を癒され、内臓各器官を調達、全身の循環、毛細血管の流暢、新陳代謝を強化、最も重要なのは全身緊張緩やかにすることができる。もし毎日３０分泡足すれば、自己保健、長生きする目的を達成できる。そして、我々は、足浴装置を開発した。
【０００３】
図一をご覧下さい、普通の足浴装置はフットバス１、コントロール本体２、イオンカートリッジ３から成り立っている。フットバス１は水の提供及び両足の置き、コントロール本体２の内部に集成回路が入っており（図には表示できない）イオンカートリッジ３はワイヤー３１でコントロール本体と接続。イオンカートリッジ３の詳しい構造は図二をご覧下さい、中身のない円筒形、内部には電極３２です。
【０００４】
使用する際、フットバス１に水を注入して、イオンカートリッジ３それにいれる、コントロール３を起動して、イオンカートリッジ３内の電極３２で水を電解させマイナスイオンを発生する。マイナスイオンは体に入り、体内にある有害物を体外に排出させる、体にいい働きを満たす。
【０００５】
よく知られている足浴装置は効果があるが、フットバス１とコントロール本体２分立しているので、運ぶ時と収納時に不便をもたらす、足を浸す過程中マイナスイオンが体内にある油汚れと有害物を体外に排出させるから、その油汚れ等の有害物は電極３２に付着するので、一旦電極３２に付着する雑質多すぎると、使用効果悪くなるばかりでなく、使用寿命も短くなる。イオンカートリッジ３は分解できない状態であるので、中にある電極３2清掃できない、一旦損害してしまうと、新しいイオンカートリッジ３を買わないといけなくなります、使用コストが高くなり、とても不便、これも今我々メーカーが努力して、研究開発していく問題である。
【考案の開示】
【考案の効果】
【０００６】
本考案の効果一、フットバスの内部にコントロール本体を設置して、移動と収納が便利になる。
【０００７】
本考案の効果二、イオンカードリッジが自由に取り付けできる、使用後内部の電極清掃することで、より効果高く、より長く使用することを満たす。
【０００８】
本考案の効果三、イオンカードリッジ内のヒーターで水温を維持する、より気持ちよく満たす。
【考案を実施するための最良の形態】
【０００９】
審査官に本実用新案を分りやすく理解していただくために、以下の図をご覧下さい。
まず図三、これは足浴装置である、フットバスとコントロール本体（図には表示できない）両方機能を持ち。外側にあるコントロールパネル４２で調整する。コントロールパネル４２には差込口４３加えて、イオンカードリッジ５と接続、その他、差込口が並んである、それぞれ電子リストバンド６、マサージシール７、ワイヤー８と接続、動作に必要な電源を得る。そして図四、図五ご覧下さい、イオンカードリッジ５は箱５１内部に電極５２とヒーター５３を取り付けて、箱５１の両側に溝５１１が設置され、蓋５４は底部の両側にあるインテル５４１とつなぐ、全体が閉鎖状態を呈する、そして蓋５４自由に取り付けできる、実施する時蓋５４はめくる式、マキガイ式またはその他できる方式で箱５１と接続、取り付けする必要があるため、イオンカートリッジ５は円筒形、多角形及び他の形、蓋の上に複数の間隔の穴５４２をあげ、水を通れる、ワイヤー５５が箱５１上方伸びていく。
【００１０】
使用する際、まず水をフットバス４のバケツ４１に入れて、リストバンド６を手に握って、足をバケツ４１に入れて、スイッチオンにしたら、イオンカードリッジは水と電解し始める。イオンカードリッジ５内のヒーター５３は働いて水温を調整する。マイナスイオンをつくり出す。使用後、水を捨ててバケツをキレイに洗う。当然事前にビニール袋をバケツ４１に被らせば、使用後ビニール袋を廃棄するだけでいい。
【００１１】
本考案の足浴装置は、体から出た油汚れが電極に付着するが、蓋５４がイオンカードリッジ５１から外せるので、電極５２の清掃も簡単にできます。それによって、使用効果低下を予防、毎日最高の使用効果を維持、使用寿命を延長。電極消耗した場合は、それ入れ替えるだけでいい、イオンカードリッジ５全体を交換しなくでもよい、使用コスト負担の節約にもなる、それにイオンカードリッジ５にヒーター５３が設置されているので、天気の寒い日で３０分ぐらいしても、ヒーターでお湯の温度を維持することができる。さらにコントロール本体はフットバスの中に入ってあるので、運ぶと収納も便利。
【図面の簡単な説明】
【００１２】
【図１】普通の足浴装置。
【図２】普通のイオンカードリッジ立体図。
【図３】新型足浴装置の立体図。
【図４】新型イオンカードリッジの立体図。
【図５】新型イオンカードリッジの分解図。
【符号の説明】
【００１３】
1 フットバス
2 コントロール本体
3 イオンカードリッジ    ３１ワイヤー  ３２板エレクトロード
4 フットバス            ４１バケツ    ４２コントロールパネル
４３差込口    
5イオンカードリッジ      ５１箱        ５１１溝
５２板エレクトロード    ５３ヒーター
５４蓋
５４１インテル          ５４２穴
５５ワイヤー
6 電子リストバンド
7 マッサージシール
8 電源ワイヤー
【図１】
0003127624.tif 000003
【図２】
0003127624.tif 000004
【図３】
0003127624.tif 000005
【図４】
0003127624.tif 000006
【図５】
0003127624.tif 000007